(57)【要約】【課題】搬送遅れや挫屈による補正不良を抑制しつつ、記録媒体の位置ずれを補正することができる搬送装置を提供する【解決手段】搬送ベルト１２の上側には、保持板１８Ａ、１８Ｂが配置されている。保持板１８Ａ、１８Ｂは長尺とされ、搬送ベルト１２と所定距離だけ離間して対向するようにして搬送ベルト１２に沿って配置されている。保持板１８Ａ、１８Ｂの各々には、円形の配置孔１９が形成されている。配置孔１９は、長尺方向に沿って所定間隔に複数（本実施形態では７個）形成されている。各配置孔１９内には、ボール２０が配置されている。  ボール２０は、球体とされ、配置孔１９よりも僅かに小さい直径とされ、図３にも示すように、搬送ベルト１２側に露出されている。ボール２０は、搬送ベルト１２上に載置され、自由に（無指向に）回転可能とされている。【選択図】図１
2007217096.tif 000002
【特許請求の範囲】
【請求項１】
搬送路の一方側に設けられ、搬送される記録媒体の側端辺の位置決めを行うガイドと、
前記ガイドに突き当てるように前記記録媒体を斜行搬送する搬送ベルトと、
前記搬送ベルト上に自重が負荷されるように複数並べられ、無指向に回転可能とされた第１挟持部材と、
前記第１挟持部材を保持する保持部材と、
を備えた搬送装置。
【請求項２】
前記第１挟持部材が、球体のボールであることを特徴とする請求項１に記載の搬送装置。
【請求項３】
前記保持部材は板状とされて前記搬送ベルトと対向配置され、前記第１挟持部材が配置されると共にこの第１挟持部材を前記搬送ベルト側へ露出させる第１配置孔が構成されていることを特徴とする請求項２に記載の搬送装置。
【請求項４】
前記搬送ベルト上に前記搬送ベルトとの間に隙間が構成されるように複数並べられた第２挟持部材をさらに備え、
前記保持部材は、さらに前記第２挟持部材を保持することを特徴とする請求項１乃至請求項３のいずれか１項に記載の搬送装置。
【請求項５】
前記第２挟持部材が、球体のボールであることを特徴とする請求項４に記載の搬送装置。
【請求項６】
前記保持部材は板状とされて前記搬送ベルトと対向配置され、前記搬送ベルト側に前記第２挟持部材を前記第１挟持部材よりも高い位置に保持する高度保持部を有すると共にこの第２挟持部材を前記搬送ベルト側へ露出させる第２配置孔が構成されていることを特徴とする請求項５に記載の搬送装置。
【請求項７】
前記保持部材は、前記第２挟持部材と前記搬送ベルトとの隙間を調整可能な隙間調整手段をさらに備えたことを特徴とする請求項４乃至請求項６のいずれか１項に記載の搬送装置。
【請求項８】
前記第１挟持部材及び前記第２挟持部材は、前記記録媒体の搬送方向に沿って複数列に並べられていることを特徴とする請求項４乃至請求項７のいずれか１項に記載の搬送装置。
【発明の詳細な説明】
【技術分野】
【０００１】
本発明は、用紙などの記録媒体を搬送する搬送装置に関するものである。
【背景技術】
【０００２】
一般に、画像形成装置や紙折機などにおいては、用紙などを搬送する際に種々の要因で搬送中の用紙が位置ずれを起こすことがある。そうした場合、用紙が位置ずれしたまま画像形成部等に送り込まれると、用紙に対して画像がずれた状態で形成される等の不都合が生じてしまう。
【０００３】
そのため、これらの装置には搬送中に用紙の位置ずれを修正する用紙整合装置が組み込まれている。この種の用紙整合装置としては、搬送中の用紙の側端を基準に用紙の位置ずれを補正する、いわゆるサイドレジストレーション（以下、サイドレジと略称）基準による整合方式が知られている（特許文献１参照）。
【０００４】
上記整合方式を採用した従来の用紙搬送装置としては、用紙搬送路の一方側に搬送方向に沿って基準ガイドを設けるとともに、用紙の搬送路中に斜行ロールを配置し、この斜行ロールによって搬送中の用紙を基準ガイド側へ幅寄せし、用紙の側端を基準ガイドに突き当ててサイドレジ（用紙搬送方向と直交する方向での用紙側端の位置ずれ）とサイドスキュー（用紙搬送方向に対する用紙側端の傾き）を同時に補正するものが知られている。
【０００５】
この種の用紙搬送装置では、用紙の側端を斜行ロールで基準ガイドに突き当てた際に、用紙と斜行ロールとの間にある一定の力が働くことでスリップを発生させ、このスリップ現象を利用して用紙の側端を基準ガイドに沿わせて走行させるようにしている。
【０００６】
しかしながら上記従来の用紙搬送装置 においては、用紙の側端を基準ガイドに突き当てる前と後では、突き当て後の方が、斜行ロールで用紙を搬送する際の搬送抵抗が大きくなる。そして、この搬送抵抗の変化に伴う斜行ロールのスリップにより、用紙の搬送方向において用紙の搬送遅れを招いてしまう。
【０００７】
この対策としては、斜行ロールにおける用紙のニップ圧（挟持圧）を高めて用紙の搬送力を強くすることも考えられるが、そうした場合は、基準ガイドへの突き当てによって用紙が挫屈しやすくなる。特に、腰の弱い薄紙などでは挫屈しやすくなる。その結果、サイドレジ及びサイドスキューの補正不良を招く。
【特許文献１】特開平１１−２９５９４８号公報
【発明の開示】
【発明が解決しようとする課題】
【０００８】
本発明は、上記課題を解決するためになされたもので、その目的とするところは、搬送遅れや挫屈による補正不良を抑制しつつ、記録媒体の位置ずれを補正することができる搬送装置を提供することにある。
【課題を解決するための手段】
【０００９】
上記問題点を解決するために、請求項１に記載の搬送装置は、搬送路の一方側に設けられ、搬送される記録媒体の側端辺の位置決めを行うガイドと、前記ガイドに突き当てるように前記記録媒体を斜行搬送する搬送ベルトと、前記搬送ベルト上に自重が負荷されるように複数並べられ、無指向に回転可能とされた第１挟持部材と、前記第１挟持部材を保持する保持部材と、を備えている。
【００１０】
上記構成の搬送装置では、搬送ベルトにより記録媒体がガイドに対して斜行搬送され、ガイドに突き当てられる。このとき、記録媒体の上には第１挟持部材が載置されており、第１挟持部材の自重による負荷で記録媒体が搬送ベルトと第１挟持部材との間に挟持されている。ガイドに突き当てられると、記録媒体は側端辺がガイドに沿って搬送されるように搬送ベルト上でスリップしながら移動し始めるが、第１挟持部材は無指向に回転可能とされているので、記録媒体の進行方向に応じて回転方向を変えることができる。
【００１１】
したがって、記録媒体がガイドへ押しつけられる力は、斜行ロールを用いた場合よりも小さくすることができ、記録媒体の挫屈を抑制することができる。
【００１２】
また、第１挟持部材の重みにより確実に記録媒体を挟持することができるので、記録媒体の搬送遅れを抑制することができる。
【００１３】
なお、本発明の第１挟持部材は、請求項２に記載のように、前記第１挟持部材が、球体のボールであることを特徴とすることができる。
【００１４】
このように、球状のボールを用いることにより、簡単に第１挟持部材を構成することができる。
【００１５】
また、本発明の搬送装置は、請求項３に記載のように、前記保持部材は板状とされて前記搬送ベルトと対向配置され、前記第１挟持部材が配置されると共にこの第１挟持部材を前記搬送ベルト側へ露出させる第１配置孔が構成されていることを特徴とすることができる。
【００１６】
上記構成によれば、球状の第１挟持部材は、第１配置孔により搬送ベルト面方向の位置が決められると共に、第１配置孔内で記録媒体を挟持しつつ自由に回転することができる。
【００１７】
また、本発明の搬送装置は、請求項４に記載のように、前記搬送ベルト上に前記搬送ベルトとの間に隙間が構成されるように複数並べられた第２挟持部材をさらに備え、前記保持部材は、さらに前記第２挟持部材を保持することを特徴とする。
【００１８】
上記構成では、第２挟持部材が搬送ベルトとの間に隙間が構成されるように複数並べられている。ここで、前記隙間は、第２挟持部材による挟持が行われる所定の厚み以上の厚紙が搬送される場合には、当該厚紙上に第２挟持部材の自重が負荷される程度の隙間であり、すなわち、前記厚紙の厚み程度の隙間である。
【００１９】
このように、第２挟持部材を備えることにより、記録媒体が厚紙の場合にのみ、第２挟持部材による搬送ベルトへの記録媒体の押しつけ力が作用し、厚紙に対する搬送力を確保することができる。また、記録媒体が薄紙の場合には、第２挟持部材による搬送ベルトへの記録媒体の押しつけ力は作用せず、記録媒体は第１挟持部材のみで搬送ベルトへ押しつけられるので、記録媒体の挫屈を抑制することができる。
【００２０】
なお、前記第２挟持部材は、請求項５に記載のように、前記第２挟持部材が、球体のボールであることを特徴とすることができる。
【００２１】
このように、球状のボールを用いることにより、簡単に第２挟持部材を構成することができる。
【００２２】
また、本発明の搬送装置は、請求項６に記載のように、前記保持部材は板状とされて前記搬送ベルトと対向配置され、前記搬送ベルト側に前記第２挟持部材を前記第１挟持部材よりも高い位置に保持する高度保持部を有すると共にこの第２挟持部材を前記搬送ベルト側へ露出させる第２配置孔が構成されていることを特徴とすることができる。
【００２３】
上記構成によれば、球状の第２挟持部材は、第２配置孔により搬送ベルト面方向の位置が決められると共に、高度保持部により第１挟持部材よりも高い位置に保持され、第２配置孔内で所定の厚みの記録媒体を挟持しつつ自由に回転することができる。
【００２４】
また、本発明の搬送装置は、請求項７に記載のように、前記保持部材が、前記第２挟持部材と前記搬送ベルトとの隙間を調整可能な隙間調整手段をさらに備えたことを特徴とする。
【００２５】
上記構成によれば、隙間調整手段により第２挟持部材と搬送ベルトとの隙間を調整することにより、所望の厚みの厚紙に対応させて第２挟持部材を用いることができる。
【００２６】
また、本発明の搬送装置は、請求項８に記載のように、前記第１挟持部材及び前記第２挟持部材は、前記記録媒体の搬送方向に沿って複数列に並べられていることを特徴とする。
【００２７】
上記構成によれば、容易に列毎に異なる構成とすることができ、ガイドから遠い位置、近い位置などの違いに応じて、第１挟持部材及び第２挟持部材の重さなどを変えることができる。
【発明の効果】
【００２８】
本発明によれば、搬送遅れや挫屈による補正不良を抑制しつつ、記録媒体の位置ずれを補正することができる。
【発明を実施するための最良の形態】
【００２９】
［第１実施形態］
以下、本発明の搬送装置の第１実施形態を図面に基づいて説明する。
【００３０】
図１は本実施形態に係る搬送装置１０の構成を示す概略斜視図であり、図２はこれを上面から見た上面図である。搬送装置１０は、用紙やＯＨＰシートなどの記録媒体Ｓを、サイドレジ及びサイドスキューを補正しつつ搬送路Ｗに沿って搬送するものであり、画像形成装置や紙折機に内蔵される。
【００３１】
搬送装置１０は、搬送ベルト１２、ガイド１４、保持板１８Ａ、１８Ｂ、及び、ボール２０を備えている。
【００３２】
ガイド１４は、搬送路Ｗの一方側に設けられ、側壁部１５、及び、下板部１６を有している。側壁部１５は、鉛直に配置され記録媒体Ｓが突き当てられる突当面１５Ａを有している。突当面１５Ａは、所定の状態に位置決めされて記録媒体Ｓが次工程へ搬送されるように、搬送路Ｗに沿って配置されている。下板部１６は、側壁部１５と直交し、搬送ベルト１２と略同一面上に配置されている。下板部１６上には、記録媒体Ｓの一端辺が載置される。
【００３３】
搬送ベルト１２は、２つのプーリー１１Ａ、１１Ｂに架け渡された無端ベルトで構成されている。図２にも示すように、搬送ベルト１２は、ガイド１４に対して角度を有しており、搬送方向Ｘの上流側から下流側に向かうにつれて、ガイド１４に近づくように配置されている。
【００３４】
搬送ベルト１２の上側には、保持板１８Ａ、１８Ｂが配置されている。保持板１８Ａ、１８Ｂは長尺とされ、搬送ベルト１２と所定距離だけ離間して対向するようにして搬送ベルト１２に沿って配置されている。保持板１８Ａ、１８Ｂの各々には、円形の配置孔１９が形成されている。配置孔１９は、長尺方向に沿って所定間隔に複数（本実施形態では７個）形成されている。各配置孔１９内には、ボール２０が配置されている。
【００３５】
ボール２０は、球体とされ、配置孔１９よりも僅かに小さい直径とされ、図３にも示すように、搬送ベルト１２側に露出されている。ボール２０は、搬送ベルト１２上に載置され、自由に（無指向に）回転可能とされている。なお、ボール２０、配置孔１９の大きさ及び個数は、記録媒体Ｓに対して必要とされる押しつけ力に応じて設定すればよい。また、ボール２０は、記録用紙Ｓが搬送ベルト１２上でスリップしながら搬送されることから、摩擦係数の比較的低いガラスやプラスチックなどを材料として構成されたものであることが好ましい。
【００３６】
また、ボール２０と配置孔１９の大きさ関係は、必ずしも配置孔１９＞ボール２０である必要はなく、ボール２０が自由に回転可能なように搬送ベルト１２上に載置されているのであれば、配置孔１９＜ボール２０であってもよい。
【００３７】
次に、上記構成の搬送装置１０での搬送動作について説明する。
【００３８】
搬送装置１０のプーリー１１Ａ、１１Ｂは、図示しない駆動手段によって矢印Ｙ方向に回転駆動され、これにより搬送ベルト１２が搬送方向Ｘへ回転する。記録媒体Ｓは、搬送方向Ｘの上流側から、搬送ベルト１２とボール２０との間に送り込まれ、搬送ベルト１２とボール２０によって挟持される。通常、搬送方向Ｘの上流側では、記録媒体Ｓはガイド１４の突当面１５Ａから離間されており、下流側へ搬送されることにより突当面１５Ａへ突き当てられる。記録媒体Ｓは、突当面１５Ａへ突き当てられると、側端辺を突当面１５Ａへ沿わせつつ搬送ベルト１２との間でスリップしながらガイド１４と平行な方向に搬送される。これにより、記録媒体Ｓのサイドレジ及びサイドスキューが補正される。
【００３９】
このとき、記録媒体Ｓは、ボール２０の自重によって搬送ベルト１２へ押しつけられているので、搬送ベルト１２による搬送力を確実に記録媒体Ｓへ伝達することができる。また、ボール２０は、記録媒体Ｓの進行方向に応じて回転方向を変えることができるので、斜行ロールを用いてサイドレジ及びサイドスキューを補正する場合と比較して、突当面１５Ａへ突き当てられる力が弱くなる。したがって、記録媒体Ｓの挫屈を抑制することができる。
【００４０】
なお、本実施形態では、ボール２０を搬送方向Ｘに沿って２列配置した例について説明したが、ボール２０の重量、記録媒体Ｓの種類等に応じて、１列でも、３列以上配置してもよい。
【００４１】
また、本実施形態では、ガイド１４から遠い列と近い列で同一サイズのボールを用いたが、異なる重さのボールを配置してもよい。この場合には、ガイド１４に近い位置で大きい力が加わると、挫屈しやすくなるため、図４に示すように、ガイド１４から近い列を小さいボール２０Ａ、遠い列をボール２０Ｂで構成することが好ましい。
【００４２】
［第２実施形態］
次に、本発明の第２実施形態について説明する。本実施形態については、第１実施形態と同様の部分については同一の符号を付して、詳細な説明は省略する。
【００４３】
図５は本実施形態に係る搬送装置３０の構成を示す概略斜視図であり、図６はこれを上面から見た上面図である。搬送装置３０は、搬送ベルト１２、ガイド１４、保持板３２、高さ調整板３４、及び、ボール２０、２１を備えている。ガイド１４及び、搬送ベルト１２の構成は第１実施形態と同様である。
【００４４】
搬送ベルト１２の上側には、保持板３２が配置されている。保持板３２は搬送方向Ｘと直交する方向に長尺とされ、搬送ベルト１２と所定距離だけ離間して対向するようにして配置されている。保持板３２は、搬送ベルト１２に沿って複数枚（本実施形態では６枚）配置されている。
【００４５】
図７に示すように、各々の保持板３２のガイド１４に近い端部には、搬送方向Ｘにシャフト孔３２Ａが形成されている。各保持板３２のシャフト孔３２Ａに、１本のシャフト４０が挿通されている。また、保持板３２の各々のガイド１４から遠い端部には、厚み方向に雌ねじ３２Ｂが構成されている。雌ねじ３２Ｂには、後述する雄ねじ３４Ｎが螺合される。
【００４６】
保持板３２の各々には、ガイド１４に近い側に円形の配置孔１９が形成され、ガイド１４から遠い側に配置孔３６が形成されている。配置孔３６の下部（搬送ベルト１２側）には、リブ３６Ａが構成されている。リブ３６Ａにより、配置孔３６の下側の開口径は、上側の開口径よりも小さくなっている。配置孔１９及び配置孔３６は、搬送方向Ｘに沿って所定間隔に配置されている。各配置孔１９内には、ボール２０が配置され、配置孔３６内には、ボール２１が配置されている。
【００４７】
ボール２１は、球体とされ、配置孔３６の上側の開口径よりも僅かに小さく下側の開口径よりも大きい直径とされ、リブ３６Ａに当接されることにより一部が保持板３２の下面から搬送ベルト１２側に露出されている。ボール２１は、搬送ベルト１２と離間され、搬送ベルト１２との間に隙間Ｐが構成されている。ボール２１も、記録媒体Ｓが搬送ベルト１２上でスリップしながら搬送されることから、摩擦係数の比較的低いガラスやプラスチックなどを材料として構成されたものであることが好ましい。
【００４８】
高さ調整板３４は、図７に示すように、保持板３２の上側に配置される上板部３４Ａ、及び、ガイド１４側に配置される側部３４Ｂを備えている。上板部３４Ａと側部３４Ｂとは一体的に構成され、上板部３４Ａのガイド１４側端辺で上板部３４Ａと側部３４Ｂとが直交するように構成されている。保持板３２の配置孔１９、配置孔３６に対向する上板部３４Ａの中央部分には、開口３４Ｋが構成されている。開口３４Ｋにより、ボール２０、２１は上部の規制を受けず、自由に（無指向に）回転可能とされている。
【００４９】
保持板３２に形成された雌ねじ３２に対応する高さ調整板３４の端部には、ねじ孔３４Ｈが形成されている。ねじ孔３４Ｈは、上部に形成され雄ねじ３４Ｎよりも僅かに大径の上部穴３４Ｕと上部穴３４よりも大径のスプリング穴３４Ｓで構成されている。スプリング穴３４Ｓは、上部穴３４Ｕよりも大径とされ、スプリング３５はスプリング穴３４Ｓに配置されている。スプリング３５には、雄ねじ３４Ｎが挿通され、スプリング３５の上端は、スプリング穴３４Ｓの上壁に当接され、下端は保持板３２の上面に当接されている。スプリング３５により、高さ調節板３４は雄ねじ３４Ｎのねじ頭に向けて付勢されている。
【００５０】
保持板３２は、雄ねじ３４Ｎと雌ねじ３２Ｂとの螺合深度により、シャフト４０を中心に回動され、保持板３２と搬送ベルト１２との間の距離が変えることができる。雄ねじ３４Ｎを雌ねじ３２Ｂに深く挿入される方向へ回転させると、保持板３２は高さ調節板３４と近づく方向に回動され、ボール２１と搬送ベルト１２との間の隙間Ｐは広くなる（図７（Ｂ）参照）。一方、雄ねじ３４Ｎを逆に回転させると、保持板３２は高さ調節板３４と離れる方向に回動され、ボール２１と搬送ベルト１２との間の隙間Ｐは狭くなる（図７（Ａ）参照）。隙間Ｐの広さは、使用する記録媒体Ｓなどにより、予め所定の広さに調整されている。
【００５１】
次に、上記構成の搬送装置３０での搬送動作について説明する。
【００５２】
搬送装置３０のプーリー１１Ａ、１１Ｂは、図示しない駆動手段によって矢印Ｙ方向に回転駆動され、これにより搬送ベルト１２が搬送方向Ｘへ回転する。記録媒体Ｓは、搬送方向Ｘの上流側から、搬送ベルト１２とボール２０、２１との間に送り込まれる。
【００５３】
ここで、記録媒体Ｓが薄紙Ｓ１の場合には、図８（Ａ）に示すように、隙間Ｐによりボール２１は薄紙Ｓ１へ当接されず、ボール２０のみによって薄紙Ｓ１は搬送ベルト１２へ押しつけられる。薄紙Ｓ１は、下流側へ搬送されてガイド１４の突当面１５Ａへ突き当てられ、側端辺を突当面１５Ａへ沿わせつつ搬送ベルト１２との間でスリップしながらガイド１４と平行な方向に搬送される。これにより、薄紙Ｓ１のサイドレジ及びサイドスキューが補正される。
【００５４】
このとき、薄紙Ｓ１は、ボール２０の自重によって搬送ベルト１２へ押しつけられているので、搬送ベルト１２による搬送力を薄紙Ｓ１へ伝達することができる。また、ボール２０は、薄紙Ｓ１の進行方向に応じて回転方向を変えることができるので、斜行ロールを用いてサイドレジ及びサイドスキューを補正する場合と比較して、さらに、ボール２１の負荷がある場合と比較して、突当面１５Ａへ突き当てられる力が弱くなる。したがって、腰の弱い薄紙Ｓ１の挫屈を抑制することができる。
【００５５】
また、記録媒体Ｓが隙間Ｐ以上の厚みの厚紙Ｓ２の場合には、図８（Ｂ）に示すように、ボール２０に加えてボール２１も厚紙Ｓ２へ当接されて自重により厚紙Ｓ２を搬送ベルト１２へ押しつける。厚紙Ｓ２は、下流側へ搬送されてガイド１４の突当面１５Ａへ突き当てられ、側端辺を突当面１５Ａへ沿わせつつ搬送ベルト１２との間でスリップしながらガイド１４と平行な方向に搬送される。これにより、厚紙Ｓ２サイドレジ及びサイドスキューが補正される。
【００５６】
このとき、厚紙Ｓ２には、ボール２０、２１の自重によって搬送ベルト１２へ押しつけられているので、搬送ベルト１２による搬送力を確実に厚紙Ｓ２へ伝達することができる。また、ボール２０、２１は、厚紙Ｓ２の進行方向に応じて回転方向を変えることができるので、斜行ロールを用いてサイドレジ及びサイドスキューを補正する場合と比較して、突当面１５Ａへ突き当てられる力が弱くなる。したがって、厚紙Ｓ２の挫屈を抑制することができる。
【００５７】
本実施形態によれば、上記のように、記録媒体の厚みによって、ボール２１が当接されたり当接されなかったりして、自動的に搬送ベルト１２への押しつけ力を変えることができる。したがって、記録媒体の厚みに応じて適切に記録媒体の位置ずれを補正することができる。
【００５８】
なお、本実施形態では、ボールを搬送方向Ｘに沿って２列に配置した例について説明したが、１列にして、交互に隙間Ｐを形成するボールを配置してもよい。また、３列以上にして複数段階で記録媒体Ｓの厚みに対応できるようにしてもよい。例えば、図９に示すように、３列に配置し、リブ３６Ａの高さ、下側の開口の大きさ、ボールの大きさなどにより、ボールと搬送ベルト１２との間の隙間Ｐを変え、記録媒体Ｓの厚みに応じて３段階の負荷で搬送ベルト１２への押しつけ力を調整することができる。
【図面の簡単な説明】
【００５９】
【図１】本発明の第１実施形態に係る搬送装置を示す概略斜視図である。
【図２】本発明の第１実施形態に係る搬送装置を示す概略上面図である。
【図３】本発明の第１実施形態に係る搬送装置を示す概略断面図である。
【図４】本発明の第１実施形態に係る搬送装置の変形例を示す上面図である。
【図５】本発明の第２実施形態に係る搬送装置を示す概略斜視図である。
【図６】本発明の第２実施形態に係る搬送装置を示す概略上面図である。
【図７】本発明の第２実施形態に係る搬送装置を示す概略断面図である。
【図８】本発明の第２実施形態に係る搬送装置の記録媒体搬送状態を示す概略断面図である。
【図９】本発明の第２実施形態に係る搬送装置の変形例を示す断面図である。
【符号の説明】
【００６０】
１０  搬送装置
１２  搬送ベルト
１４  ガイド
１５  側壁部
１５Ａ  突当面
１８Ａ  保持板
１８Ｂ  保持板
１９  配置孔
２０  ボール
２１  ボール
３０  搬送装置
３２  保持板
３４  高さ調整板
３４  調節板
３４Ｎ  雄ねじ
３５  スプリング
３６Ａ  リブ
３６  配置孔
４０  シャフト
Ｐ  隙間
Ｓ  記録媒体
Ｓ１  薄紙
Ｓ２  厚紙
Ｗ  搬送路
Ｘ  搬送方向
【図１】
2007217096.tif 000003
【図２】
2007217096.tif 000004
【図３】
2007217096.tif 000005
【図４】
2007217096.tif 000006
【図５】
2007217096.tif 000007
【図６】
2007217096.tif 000008
【図７】
2007217096.tif 000009
【図８】
2007217096.tif 000010
【図９】
2007217096.tif 000011